(57)【要約】【課題】誘引剤を捕獲空間に配置することなく、目的とする誘引効果を発揮可能にして高い捕獲能力を得る。【解決手段】匍匐害虫捕獲器１は、捕獲空間Ｒ１の外部に配置され、匍匐害虫を誘引する誘引成分が揮発する誘引剤４を備えている。匍匐害虫捕獲器１の容器２には、捕獲空間Ｒ１に連通する細長い害虫導入口１４ａが形成されている。【選択図】図５
2020110072.tif 000002
【特許請求の範囲】
【請求項１】
匍匐害虫を導入して捕獲する捕獲空間を有する容器を備えた匍匐害虫捕獲器において、
前記捕獲空間の外部に配置され、匍匐害虫を誘引する誘引成分が揮発する誘引剤を備え、
前記容器には、前記捕獲空間に連通する細長い害虫導入口が形成されていることを特徴とする匍匐害虫捕獲器。
【請求項２】
請求項１に記載の匍匐害虫捕獲器において、
前記容器の内部には、前記誘引剤が配置される誘引剤配置空間が前記捕獲空間とは仕切られた状態で形成されていることを特徴とする匍匐害虫捕獲器。
【請求項３】
請求項２に記載の匍匐害虫捕獲器において、
前記容器には、前記誘引剤配置空間に連通する開口部が形成されていることを特徴とする匍匐害虫捕獲器。
【請求項４】
請求項３に記載の匍匐害虫捕獲器において、
前記誘引剤配置空間は、匍匐害虫を導入して捕獲する空間であり、
前記開口部は、前記誘引剤配置空間に害虫を導入する害虫導入口であることを特徴とする匍匐害虫捕獲器。
【請求項５】
請求項２から４のいずれか１つに記載の匍匐害虫捕獲器において、
前記容器の内部には、前記捕獲空間と前記誘引剤配置空間とを仕切る仕切部が設けられ、
前記仕切部には、匍匐害虫を付着させる粘着剤が設けられていることを特徴とする匍匐害虫捕獲器。
【請求項６】
請求項１から５のいずれか１つに記載の匍匐害虫捕獲器において、
前記容器の上壁部内面には、匍匐害虫を付着させる粘着剤が設けられていることを特徴とする匍匐害虫捕獲器。
【請求項７】
請求項６に記載の匍匐害虫捕獲器において、
前記捕獲空間は、上記害虫導入口から該捕獲空間の奥へ行くほど上下方向の寸法が短くなるように形成されていることを特徴とする匍匐害虫捕獲器。
【発明の詳細な説明】
【技術分野】
【０００１】
本発明は、例えばゴキブリ等の匍匐害虫を捕獲する匍匐害虫捕獲器に関する。
【背景技術】
【０００２】
従来より、一般家庭等ではゴキブリを捕獲するゴキブリ捕獲器が使用されている。ゴキブリ捕獲器は例えば床面等に設置しておき、床面を歩行するゴキブリを、誘引剤によってゴキブリ捕獲器の内部に誘導し、内部に設けられている粘着剤により捕獲することができるように構成されている（例えば、特許文献１〜５参照）。
【０００３】
特許文献１のゴキブリ捕獲器は、小箱状の容器を複数段積み重ねて構成されており、各容器の内部の底面は水平方向に延びており、その底面に粘着剤が設けられている。
【０００４】
特許文献２のゴキブリ捕獲器は、底板部が水平方向に延びる一方、上板部は容器の奥側へ行くほど下に位置するように傾斜している。上板部の内面に粘着剤が設けられている。
【０００５】
特許文献３のゴキブリ捕獲器は、底板部が水平方向に延びる一方、上板部はその長手方向一方側の端部から中央部に近づくほど下に位置するように傾斜し、また長手方向他方側の端部から中央部に近づくほど下に位置するように傾斜している。上板部の内面における長手方向一方側と他方側にそれぞれ粘着剤が設けられており、容器の一方側から侵入可能な空間と、他方側から侵入可能な空間とが並設されている。
【０００６】
特許文献４のゴキブリ捕獲器は、底板部が水平方向に延びる一方、上板部は底板部と略平行に延びる部分と、底板部に対して傾斜する部分とを有している。上板部の内面に粘着剤が設けられている。
【０００７】
特許文献５のゴキブリ捕獲器は、底板部が水平方向に延びており、この底板部と上板部との間に山型に形成された中間板を設けている。底板部の上面と、中間板の上面に粘着剤が設けられている。
【先行技術文献】
【特許文献】
【０００８】
【特許文献１】特許第４３９２６９８号公報
【特許文献２】特開２００６−１３６２９６号公報
【特許文献３】実開昭４９−１１２７６８号公報
【特許文献４】特許第２６９４３３８号公報
【特許文献５】特開平６−３２７３８９号公報
【発明の概要】
【発明が解決しようとする課題】
【０００９】
ところで、市販されているゴキブリ捕獲器は、揮散する誘引成分を含む誘引剤を備えているのが一般的である。誘引剤は、床面を歩行するゴキブリを、ゴキブリ捕獲器の内部に形成されている捕獲空間、即ち粘着剤が設置された空間へと誘導するためのものであることから、ゴキブリ捕獲器の捕獲空間内に配置する。
このように誘引剤を配置することは、ゴキブリを捕獲する上で必要不可欠と考えられていた。
【００１０】
また、従来のゴキブリ捕獲器は、捕獲空間の内部に誘引剤を配置することが当然の前提とされていたところ、該捕獲空間の内部に誘引剤を設置するスペースが必要であった。特に、捕獲空間が狭い場合や薄型のゴキブリ捕獲器では、捕獲空間に誘引剤を配置すると、誘引剤の体積の分だけ捕獲空間が狭くなるため、捕獲空間で捕獲できるゴキブリの数が減ってしまうおそれもあったが、これは当然のことであるため課題として認識されることも無かった。
【００１１】
また、従来のゴキブリ捕獲器は、捕獲空間の内部に誘引剤を配置することが当然の前提とされていたところ、誘引剤を内部に配置する際に捕獲空間の一部を開放できる構造であるか、あるいは捕獲空間の外部から誘引剤を挿入できるような開口部等が少なくとも必要であった。このため、ゴキブリ捕獲器のデザイン等での制約があったが、これも当然のことであるため課題として認識されることは無かった。
【００１２】
以上のことはゴキブリ捕獲器に限られるものではなく、他の匍匐害虫を捕獲する捕獲器についても同様に生じ得る問題であった。
【００１３】
ところが、本願発明者らがゴキブリの捕獲実験を様々な形態で行ったところ、誘引剤がゴキブリ捕獲器の捕獲空間に配置されていなくても、捕獲空間の外部に配置されているだけでも、ゴキブリを捕獲できる場合があることが分かった。
【００１４】
本発明は、かかる点に鑑みてなされたものであり、その目的とするところは、誘引剤をもちいた捕獲器において、これまで意識されることが無かった上記課題を解決した捕獲器を提供することにある。
【課題を解決するための手段】
【００１５】
上記目的を達成するために、誘引剤を捕獲空間の外部に設置し、匍匐害虫の導入口を細長い形状にした。
【００１６】
第１の発明は、匍匐害虫を導入して捕獲する捕獲空間を有する容器を備えた匍匐害虫捕獲器において、前記捕獲空間の外部に配置され、匍匐害虫を誘引する誘引成分が揮発する誘引剤を備え、前記容器には、前記捕獲空間に連通する細長い害虫導入口が形成されていることを特徴とする。
【００１７】
この構成によれば、捕獲空間の外部に誘引剤が配置されているので、捕獲空間で誘引剤がスペースを占有することがなく、その分、匍匐害虫の捕獲数を多くすることが可能になる。また、薄型の匍匐害虫捕獲器にすることも可能になる。また、薄型の匍匐害虫捕獲器にすることも可能になる。
【００１８】
誘引剤が捕獲空間の外部に配置されているので、誘引成分が捕獲空間の外部に届きやすくなる。これにより、周囲の匍匐害虫が容器に向けて誘引される。匍匐害虫が容器近傍に来ると、容器には細長い害虫導入口が形成されているので、匍匐害虫が狭い所を好む習性によって害虫導入口へ誘導され、その結果、捕獲空間での捕獲が可能となる。
【００１９】
すなわち、匍匐害虫を容器近傍まで誘引するために、誘引剤が捕獲空間内にある必要はなく、誘引剤が捕獲空間の外部にあっても十分な誘引効果が発揮され、害虫が容器近傍まで一旦誘引されると、誘引成分による誘引効果よりも、害虫導入口の形状による最終的な誘引効果が発揮されて捕獲空間への導入が促されることになる。
【００２０】
また、誘引剤を配置する際に捕獲空間を開放可能としたり、当該誘引剤を外部から挿入するための開口部を捕獲空間に設けたりする必要がないので、容器のデザインの自由度が向上する。
【００２１】
第２の発明は、前記容器の内部には、前記誘引剤が配置される誘引剤配置空間が前記捕獲空間とは仕切られた状態で形成されていることを特徴とする。
【００２２】
この構成によれば、誘引剤を容器の内部に配置しておくことが可能になるので、誘引剤が目立ちにくくなる。これにより、誘引剤が例えば幼児に見えないようになる。
【００２３】
第３の発明は、前記容器には、前記誘引剤配置空間に連通する開口部が形成されていることを特徴とする。
【００２４】
この構成によれば、誘引剤配置空間に配置された誘引剤から揮発した誘引成分が開口部から容器の外部に出ていくので、誘引成分が拡散し易くなる。
【００２５】
第４の発明は、前記誘引剤配置空間は、匍匐害虫を導入して捕獲する空間であり、前記開口部は、前記誘引剤配置空間に害虫を導入する害虫導入口であることを特徴とする。
【００２６】
この構成によれば、誘引剤配置空間にも害虫を導入することが可能になるので、匍匐害虫の捕獲可能数がより一層多くなる。
【００２７】
第５の発明は、前記容器の内部には、前記捕獲空間と前記誘引剤配置空間とを仕切る仕切部が設けられ、前記仕切部には、匍匐害虫を付着させる粘着剤が設けられていることを特徴とする。
【００２８】
この構成によれば、仕切部を利用して粘着剤を設けることが可能になる。
【００２９】
第６の発明は、前記容器の上壁部内面には、匍匐害虫を付着させる粘着剤が設けられていることを特徴とする。
【００３０】
この構成によれば、容器の上壁部の内面に粘着剤が配置されることになるので、容器に導入された匍匐害虫が例えばゴキブリである場合には、羽根または背部が粘着剤に付着することになる。従って、脚を付着させる場合に比べて粘着剤との接触面積が広くなり、一旦捕獲した後に逃げ出してしまうゴキブリの数を減らすことが可能になる。
【００３１】
第７の発明は、前記捕獲空間は、上記害虫導入口から該捕獲空間の奥へ行くほど上下方向の寸法が短くなるように形成されていることを特徴とする。
【００３２】
この構成によれば、害虫導入口から容器の奥へ行くほど上下方向の寸法が短くなるので、粘着剤と匍匐害虫との距離が短くなり、匍匐害虫を粘着剤に確実に付着させることができる。
【発明の効果】
【００３３】
第１の発明によれば、捕獲空間の外部に誘引剤を配置し、容器に、捕獲空間に連通する細長い害虫導入口を形成したので、誘引剤を捕獲空間に配置することなく、高い捕獲能力を得ることができるとともに、容器のデザインの自由度も向上する。
【００３４】
第２の発明によれば、容器の内部に誘引剤を配置したので、例えば幼児に対する安全性を高めることができる。
【００３５】
第３の発明によれば、誘引成分の拡散性が向上するので、誘引効果をより一層高めることができる。
【００３６】
第４の発明によれば、匍匐害虫を誘引剤配置空間でも捕獲することができるので、匍匐害虫の捕獲可能数をより一層多くすることができる。
【００３７】
第５の発明によれば、捕獲空間と誘引剤配置空間とを仕切る仕切部を利用して粘着剤を設けることができる。
【００３８】
第６の発明によれば、匍匐害虫がゴキブリである場合に捕獲後に逃げ出してしまう個体を減少させることができる。
【００３９】
第７の発明によれば、匍匐害虫の捕獲能力をより一層高めることができる。
【図面の簡単な説明】
【００４０】
【図１】本発明の実施形態に係る匍匐害虫捕獲器を上方かつ前側から見た斜視図である。
【図２】匍匐害虫捕獲器を上方かつ後側から見た斜視図である。
【図３】匍匐害虫捕獲器の正面図である。
【図４】匍匐害虫捕獲器の右側面図である。
【図５】図３におけるV−V線断面図である。
【図６】匍匐害虫捕獲器の平面図である。
【図７】匍匐害虫捕獲器の底面図である。
【図８】実施形態の変形例に係る図１相当図である。
【発明を実施するための形態】
【００４１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４２】
図１は、本発明の実施形態に係る匍匐害虫捕獲器１を上方かつ前側から見た斜視図であり、図２は、匍匐害虫捕獲器１を上方かつ後側から見た斜視図である。この匍匐害虫捕獲器１は、匍匐害虫を捕獲するための器具である。匍匐害虫捕獲器１で捕獲する対象となる匍匐害虫としては、例えばゴキブリを挙げることができるが、ゴキブリに限られるものではなく、床や地面を歩行する様々な害虫であってもよい。ゴキブリには、クロゴキブリ、チャバネゴキブリ、ワモンゴキブリ等が含まれるとともに、各々、オス、メス、卵鞘を持ったメス、幼虫等が含まれる。
【００４３】
図５に示すように、匍匐害虫捕獲器１は、匍匐害虫を導入して捕獲する捕獲空間Ｒ１を有する容器２と、粘着剤３Ａと、誘引剤４とを備えており、該容器２の捕獲空間Ｒ１に導入した匍匐害虫を粘着剤３Ａによって捕獲することができるように構成されている。さらに、この匍匐害虫捕獲器１の容器２の内部には、誘引剤４が配置される誘引剤配置空間Ｒ２も形成されており、誘引剤配置空間Ｒ２には粘着剤３Ｂが設けられている。したがって、誘引剤配置空間Ｒ２に導入した匍匐害虫を粘着剤３Ｂによって捕獲することができるように構成されている。なお、詳しくは後述するが、捕獲空間Ｒ１内には誘引剤が配置されていない。
【００４４】
また、この例では、誘引剤４が容器２の内部に収容されているが、これに限られるものではなく、誘引剤４が容器２の外部に配置されていてもよい。誘引剤４によって捕獲空間Ｒ１や誘引剤配置空間Ｒ２に誘引された匍匐害虫を粘着剤３Ａ、３Ｂによって捕獲することができる他、誘引されなくても捕獲空間Ｒ１や誘引剤配置空間Ｒ２に導入された匍匐害虫を粘着剤３Ａ、３Ｂによって捕獲することができる。
【００４５】
尚、この実施形態の説明では、各図に示すように匍匐害虫捕獲器１の前側及び後側を定義し、前側から見たときに右となる側を右側、左となる側を左側と定義するが、これは説明の便宜を図るためだけであり、実際の使用時の姿勢や運搬時の姿勢、製造時の姿勢を限定するものではない。例えば、匍匐害虫捕獲器１の前側が、使用者から向かって右や左、後に位置するように匍匐害虫捕獲器１を設置したり、匍匐害虫捕獲器１の前側が上や下に位置するように匍匐害虫捕獲器１を設置することもできる。
【００４６】
また、図５に示すように、匍匐害虫捕獲器１は、一般家庭や事務所、各種工場等の床面（設置面）２００に載置して使用することができる他、図示しないが地面に直接載置して使用することもできる。また、例えば、家具と壁の隙間や電化製品と壁の隙間等、匍匐害虫が歩行しそうな場所に設置することもできる。また、壁に沿わせて設置することや、家具や電化製品の上に設置して使用することもできる。
【００４７】
（容器２の構成）
容器２は、例えばボール紙等の厚紙からなる板材が折り曲げられて構成されている。容器２を構成する板材は、１枚であってもよいし、複数枚であってもよい。板材は、厚紙や、厚紙に印刷層が設けられた部材以外にも例えば樹脂材等で構成されていてもよいが、組み立てた状態で長期間（短くても数週間から数ヶ月）に亘って形状を維持することができる形状維持性を備えた部材で構成するのが好ましい。
【００４８】
図１〜図５に示すように、容器２は、底壁部１０と、上壁部１１と、左側壁部１２と、右側壁部１３と、前端壁部１４と、後端壁部１５とを備えている。図７に示すように、底壁部１０は略矩形状とされている。図示しないが、底壁部１０の所定部位に切り込みを形成して開閉可能にしておき、この開閉可能な部分を開いて誘引剤４を容器２の内部に挿入することができる。誘引剤４を容器２の内部に挿入した後、上記開閉可能な部分を閉じておけばよい。
【００４９】
右側壁部１３は、底壁部１０の左縁部から上方へ延びるように形成されており、図４に示す右側面視で平行四辺形に近い形状となっている。図２等に示すように、左側壁部１２は、底壁部１０の左縁部から上方へ延びるように形成されており、左側面視で平行四辺形に近い形状となっている。左側壁部１２と、右側壁部１３とは互いに平行である。また、左側壁部１２の上縁部と右側壁部１３の上縁部とは略同じ高さに位置している。
【００５０】
図４に示すように、前端壁部１４は、底壁部１０の前縁部から上方へ延びるように形成されており、上端に近づくほど後に位置するように傾斜している。図３に示すように、正面からみたとき、前端壁部１４は、左右方向に長い長方形となっている。また、後端壁部１５は、底壁部１０の後縁部から上方へ延びるように形成されており、上端に近づくほど後に位置するように傾斜している。後端壁部１５も左右方向に長い長方形となっている。前端壁部１４と、後端壁部１５とは互いに平行である。また、前端壁部１４の上縁部と後端壁部１５の上縁部とは、左側壁部１２の上縁部と略同じ高さに位置している。
【００５１】
上壁部１１は、底壁部１０と略平行に延びており、前端壁部１４の上縁部、後端壁部１５の上縁部、左側壁部１２の上縁部及び右側壁部１３の上縁部と連続している。図６に示すように、上壁部１１は、略矩形状である。
【００５２】
図５に示すように、容器２の内部には、捕獲空間Ｒ１と誘引剤配置空間Ｒ２とを仕切る板状の仕切部１６が設けられている。仕切部１６は、底壁部１０の前縁部から上壁部１１の後縁部まで傾斜しながら連続して延びるとともに、左側壁部１２から右側壁部１３まで連続して延びている。
【００５３】
容器２の前後方向に沿う縦断面形状は、平行四辺形に近い形状となっており、容器２の前後方向に沿う縦断面には、鋭角となる角部と、鈍角となる角部とが２つずつ形成されることになる。この実施形態では、鋭角となる角部が容器２の前下部と後上部とに形成され、鈍角となる角部が容器２の前上部と後下部とに形成されることになる。仕切部１６の前後方向の端部は、容器２の前後方向に沿う縦断面形状の鋭角となる角部に配置されている。これにより、仕切部１６の前後方向の端部が、容器２の角部から位置ずれし難くなり、その結果、仕切部１６を容器２の内部で所定位置に配置しておくことができる。特に、仕切部１６が底壁部１０や上壁部１１と一体成形されていない場合は、当該仕切部１６が容器２内で位置ずれしてしまうおそれがあるので、上記のように配置するのが好適である。
【００５４】
尚、仕切部１６は、底壁部１０や上壁部１１と一体成形されていてもよい。この場合、仕切部１６の前後方向の端部は、容器２の前後方向に沿う縦断面形状の鈍角となる角部に配置することができる。また、仕切部１６は、左側壁部１２や右側壁部１３と一体成形されていてもよい。
【００５５】
容器２の内部における仕切部１６よりも上側の空間が捕獲空間Ｒ１であり、仕切部１６よりも下側の空間が誘引剤配置空間Ｒ２である。したがって、捕獲空間Ｒ１の底面は仕切部１６の上面で構成され、捕獲空間Ｒ１の上面は上壁部１１の下面で構成されることになる。また、誘引剤配置空間Ｒ２の底面は底壁部１０の上面で構成され、誘引剤配置空間Ｒ２の上面は仕切部１６の下面で構成されることになる。捕獲空間Ｒ１の左側面及び誘引剤配置空間Ｒ２の左側面は、左側壁部１２の内面で構成され、捕獲空間Ｒ１の右側面及び誘引剤配置空間Ｒ２の右側面は、右側壁部１３の内面で構成される。
【００５６】
図１に示すように、前端壁部１４には、捕獲空間Ｒ１に連通する前側害虫導入口１４ａと前側サイド開口部１４ｂとが形成されている。前側害虫導入口１４ａは、左右方向に細長く形成されており、容器２の外部の害虫を捕獲空間Ｒ１に導入するための開口部である。前側害虫導入口１４ａは、スリット状の開口部であってもよい。前側害虫導入口１４ａの下縁部は、前端壁部１４の下縁部から上方に離れており、左右方向に直線状に延びている。前側害虫導入口１４ａの上縁部は、前端壁部１４の上縁部から下方に離れており、左右方向に直線状に延びている。前側害虫導入口１４ａの左右方向の寸法は、一般的なゴキブリが余裕を持って進入できるように設定されており、例えば、３０ｍｍ以上１５０ｍｍ以下の範囲とすることができる。
【００５７】
前側害虫導入口１４ａをこのような形状としているのは、匍匐害虫（特にゴキブリ）が、自身の体に密着する扁平な隙間に好んで入り込む習性があるためである。前端壁部１４に前側害虫導入口１４ａを複数形成してもよく、例えば複数の前側害虫導入口１４ａを左右方向に並べて形成することや、前側害虫導入口１４ａを上下方向に並べて形成することも可能である。前側害虫導入口１４ａは、長手方向の寸法が短手方向の寸法よりも長い形状、例えば、長手方向の寸法が短手方向の寸法の２倍以上、好ましくは３倍以上の細長い形状が好ましい。
【００５８】
前側サイド開口部１４ｂは、前側害虫導入口１４ａの左側方及び右側方にそれぞれ配置されており、前側害虫導入口１４ａよりも小さく形成されている。前側サイド開口部１４ｂは、害虫の導入口として使用されなくてもよいし、害虫の導入が可能な寸法にして害虫導入口として使用されてもよい。前側サイド開口部１４ｂは、省略してもよい。前側サイド開口部１４ｂを細長い形状にしてもよい。
【００５９】
図２に示すように、後端壁部１５には、誘引剤配置空間Ｒ２に連通する後側害虫導入口１５ａと後側サイド開口部１５ｂとが形成されている。後側害虫導入口１５ａは、前側害虫導入口１４ａと同様に形成され、また、後側サイド開口部１５ｂは、前側サイド開口部１４ｂと同様に形成されている。図５に示すように、誘引剤配置空間Ｒ２には、誘引剤４が配置されているので、誘引剤４から揮発した誘引成分は後側害虫導入口１５ａ及び後側サイド開口部１５ｂから外部へ放散されることになり、後側害虫導入口１５ａと後側サイド開口部１５ｂは誘引成分の放散口にもなる。この実施形態では、前端壁部１４と後端壁部１５に同じ開口部を形成しているが、これに限らず、前端壁部１４と後端壁部１５とで異なる形状の開口部を形成してもよい。
【００６０】
図２に示すように、左側壁部１２には、捕獲空間Ｒ１に連通する第１〜第３左側開口部１２ａ、１２ｂ、１２ｃと、誘引剤配置空間Ｒ２に連通する第４〜第６左側開口部１２ｄ、１２ｅ、１２ｆとが形成されている。第１左側開口部１２ａは、左側壁部１２の前部に形成されており、害虫の進入が可能な大きさとされている。第２左側開口部１２ｂは、左側壁部１２の第１左側開口部１２ａよりも後に形成されており、第１左側開口部１２ａよりも小さい。第３左側開口部１２ｃは、左側壁部１２の第２左側開口部１２ｂよりも後、即ち左側壁部１２の前後方向中間部に形成されており、第１左側開口部１２ａ及び第２左側開口部１２ｂよりも小さい。第２左側開口部１２ｂ及び第３左側開口部１２ｃの大きさは、害虫が進入可能な大きさとしてもよく、この場合、第２左側開口部１２ｂ及び第３左側開口部１２ｃは害虫導入口となる。
【００６１】
第４左側開口部１２ｄは、左側壁部１２の後部に形成されており、害虫の進入が可能な大きさとされている。第５側開口部１２ｅは、左側壁部１２の第４左側開口部１２ｄよりも前に形成されており、第４左側開口部１２ｄよりも小さい。第６左側開口部１２ｆは、左側壁部１２の第５左側開口部１２ｅよりも前、即ち左側壁部１２の前後方向中間部に形成されており、第４左側開口部１２ｄ及び第５左側開口部１２ｅよりも小さい。第５左側開口部１２ｅ及び第６左側開口部１２ｆの大きさは、害虫が進入可能な大きさとしてもよく、この場合、第５左側開口部１２ｅ及び第６左側開口部１２ｆは害虫導入口となる。誘引剤配置空間Ｒ２に連通する第４〜第６左側開口部１２ｄ、１２ｅ、１２ｆは、誘引剤４の誘引成分を外部へ放散する放散口にもなる。尚、図示しないが、左側壁部１２には、前後方向に細長い害虫導入口を形成してもよい。
【００６２】
図４に示すように、右側壁部１３には、左側壁部１２の第１〜第６左側開口部１２ａ、１２ｂ、１２ｃ、１２ｄ、１２ｅ、１２ｆと同様に、捕獲空間Ｒ１に連通する第１〜第３右側開口部１３ａ、１３ｂ、１３ｃと、誘引剤配置空間Ｒ２に連通する第４〜第６右側開口部１３ｄ、１３ｅ、１３ｆとが形成されている。この実施形態では、左側壁部１２と右側壁部１３に同じ開口部を形成しているが、これに限らず、左側壁部１２と右側壁部１３とで異なる形状の開口部を形成してもよい。また、左側壁部１２と右側壁部１３には開口部を形成しなくてもよい。
【００６３】
底壁部１０、上壁部１１、左側壁部１２、右側壁部１３、前端壁部１４及び後端壁部１５の形状は上述した形状に限られるものではなく、任意の形状にすることができる。
【００６４】
（捕獲空間Ｒ１）
図５に示すように、捕獲空間Ｒ１は、上壁部１１と、仕切部１６と、左側壁部１２と、右側壁部１３と、前端壁部１４とで区画された空間であり、誘引剤配置空間Ｒ２とは仕切られている。捕獲空間Ｒ１には誘引剤４が配置されていないので、誘引剤４は捕獲空間Ｒ１の外部に配置されたものになる。よって、誘引剤４の誘引成分は、前側害虫導入口１４ａ等から放散されない。尚、仕切部１６に例えば針穴程度の小さな貫通孔や小さなスリット等が形成されていてもよく、この場合は、誘引剤４の誘引成分が貫通孔やスリットから僅かに捕獲空間Ｒ１に流入することがあるが、この誘引成分の流入は積極的に行っているものではなく、誘引効果としても実質的に無視できる程度に小さいので、本発明に含まれるものとする。
【００６５】
また、前端壁部１４に前側害虫導入口１４ａが形成されているので、捕獲空間Ｒ１の前側を害虫が進入する側とすることができる。この場合、仕切部１６が上壁部１１に対して後側へ行くほど接近するように傾斜しているので、捕獲空間Ｒ１の上下方向の寸法は、捕獲空間Ｒ１の奥側へ行くほど短くなる。尚、上壁部１１を傾斜させてもよい。
【００６６】
（誘引剤配置空間Ｒ２）
誘引剤配置空間Ｒ２は、底壁部１０と、仕切部１６と、左側壁部１２と、右側壁部１３と、後端壁部１５とで区画された空間であり、捕獲空間Ｒ１の下に位置している。尚、容器２を上下反転した状態、即ち、捕獲空間Ｒ１を下に形成し、誘引剤配置空間Ｒ２を上に形成してもよい。
【００６７】
また、誘引剤配置空間Ｒ２は害虫を捕獲する空間として利用してもよいし、誘引剤４を配置するためだけの空間として利用してもよい。誘引剤４を配置するためだけの空間として利用する場合、容器２には、誘引剤配置空間Ｒ２に連通する放散口のみ形成し、害虫導入口を形成しない形態としてもよい。
【００６８】
誘引剤配置空間Ｒ２を害虫の捕獲空間として利用する場合、後端壁部１５に後側害虫導入口１５ａが形成されているので、誘引剤配置空間Ｒ２の後側を害虫が進入する側とすることができる。この場合、仕切部１６が底壁部１０に対して前側へ行くほど接近するように傾斜しているので、誘引剤配置空間Ｒ２の上下方向の寸法は、誘引剤配置空間Ｒ２の奥側へ行くほど短くなる。
【００６９】
（粘着剤３Ａ、３Ｂの構成）
粘着剤３Ａ、３Ｂは、従来から匍匐害虫を捕獲する場合に使用されているものを用いることができる。この実施形態では、上壁部１１の前端部近傍から後端部近傍まで連続し、かつ、上壁部１１の左端部近傍から右端部近傍まで連続して粘着剤３Ａが設けられているが、これに限らず、上壁部１１の前後方向に不連続に設けてもよいし、上壁部１１の左右方向に不連続に設けてもよい。粘着剤３Ａは、上壁部１１の前側部分と後側部分とで別々に設けてもよい。
【００７０】
また、粘着剤３Ｂは、仕切部１６の前端部近傍から後端部近傍まで連続し、かつ、仕切部１６の左端部近傍から右端部近傍まで連続して設けられているが、これに限らず、仕切部１６の前後方向に不連続に設けてもよいし、仕切部１６の左右方向に不連続に設けてもよい。粘着剤３Ｂは、仕切部１６の前側部分と後側部分とで別々に設けてもよい。
【００７１】
図示しないが、仕切部１６の上面に粘着剤を設けてもよいし、底壁部１０に粘着剤を設けてもよい。誘引剤配置空間Ｒ２が捕獲空間として利用されない場合には、粘着剤３Ｂを省略することができる。
【００７２】
上記粘着剤３Ａ、３Ｂには、図示しないが剥離紙が設けられている。剥離紙は使用開始前に粘着剤３Ａ、３Ｂから剥離する。
【００７３】
（誘引部材４の構成）
図５に示すように、誘引剤４は底壁部１０に設けてもよいし、図示しないが、仕切部１６に設けてもよい。誘引剤４を粘着剤３Ｂによって仕切部１６や底壁部１０に接着することもできる。
【００７４】
誘引剤４の形態は特に限定されるものではなく、例えば、通気性を有する袋体の内部に薬剤等を収容してなるものを挙げることができる。誘引剤は、従来から周知の匍匐害虫を誘引するための薬剤等を用いることができ、例えば粉状または粒状の薬剤であってもよいし、餌等であってもよい。誘引剤４の誘引成分は、袋体を通過して外部に放散されるようになっている。袋体は、上記粘着剤３Ｂによって仕切部１６や底壁部１０に接着することができる。
【００７５】
尚、図示しないが、誘引剤４を液体として誘引剤容器に収容しておくこともできる。誘引剤容器も上記粘着剤３Ｂによって仕切部１６や底壁部１０に接着することができる。
【００７６】
（実施形態の作用効果）
以上説明したように、この実施形態に係る匍匐害虫捕獲器１によれば、誘引剤４をその内部に配置していないにもかかわらず、捕獲空間Ｒ１によって匍匐害虫を捕獲することができる。
【００７７】
この理由は必ずしも十分に解明されているわけでは無いが、以下のように説明することができる。即ち、誘引成分が容器２の周囲に放散されることにより、周囲の匍匐害虫が容器２に向けて誘引される。誘引された匍匐害虫は、容器２近傍に来ると、自身の触角等によって容器２に触れる。ここで、例えば狭い隙間に好んで身を潜める習性を有する匍匐害虫（ゴキブリ等）は、この容器２の細長い前側害虫導入口１４ａの縁に触れることで、身を隠すのに好ましい隙間があると判断する。これにより、当該匍匐害虫が前側害虫導入口１４ａへ誘導され、その結果、捕獲空間Ｒ１内で捕獲される。また、誘引剤配置空間Ｒ２を捕獲空間として利用する場合には、同様に後側害虫導入口１５ａへ誘導され、その結果、誘引剤配置空間Ｒ２でも捕獲することができる。
【００７８】
すなわち、誘引剤４は、匍匐害虫を容器２近傍まで誘引するだけである。従って、当該誘引剤４は捕獲空間Ｒ１内にある必要はなく、誘引剤４が捕獲空間Ｒ１の外部にあっても十分な効果が発揮される。そして、容器２近傍まで一旦誘引されると、誘引成分による誘引効果よりも、害虫導入口１４ａ、１５ａの形状による最終的な誘引効果が強く発揮されて捕獲空間Ｒ１や誘引剤配置空間Ｒ２への導入が促されることになる。
【００７９】
このように、捕獲空間Ｒ１の外部に誘引剤４が配置されているので、当該誘引剤４が捕獲空間Ｒ１内でスペースを占有する事がない。これにより、捕獲空間内に誘引剤を配置していた従来の捕獲器に比べて、誘引剤４の体積分のスペースを有効活用できるので、匍匐害虫の捕獲数を多くすることが可能になる。また、誘引剤４の体積分のスペースが内部に不要となるので、薄型の匍匐害虫捕獲器１にすることも可能になる。尚、匍匐害虫捕獲器１は厚みのある形状であってもよく、薄型に限定されるものではない。
【００８０】
また、捕獲空間Ｒ１の内部に誘引剤４を配置する必要が無いので、当該誘引剤４を配置する際に捕獲空間Ｒ１を開放可能としたり、当該誘引剤４を外部から挿入するための開口部等を捕獲空間Ｒ１に設けたりする必要がない。これにより、容器２のデザインの自由度を向上させることができる。
【００８１】
また、誘引剤４が捕獲空間Ｒ１の外部である誘引剤配置空間Ｒ２に配置されているので、誘引剤４から揮散された誘引成分が、後側害虫導入口１５ａ、後側サイド開口部１５ｂ、第４〜第６左側開口部１２ｄ、１２ｅ、１２ｆ、第４〜第６右側開口部１３ｄ、１３ｅ、１３ｆから誘引剤配置空間Ｒ２の外部、即ち容器２の外部に放散される。これにより、誘引成分が捕獲空間Ｒ１の外部に届きやすくなる。
また、誘引剤配置空間Ｒ２を捕獲空間として利用する場合には、捕獲空間が２つとなるにもかかわらず、誘引剤４は１つで済む。即ち、複数の捕獲空間それぞれの内部に誘引剤を配置する必要がないので、誘引剤の数が少なくて済みコスト削減を達成できる。
【００８２】
また、捕獲空間Ｒ１や誘引剤配置空間Ｒ２に導入された匍匐害虫が例えばゴキブリである場合には、羽根または背部が粘着剤３Ａ、３Ｂに付着することになる。従って、脚を付着させる場合に比べて粘着剤３Ａ、３Ｂとの接触面積が広くなり、一旦捕獲した後に逃げ出してしまうゴキブリの数を減らすことが可能になる。しかも前述のように、仕切部１６は、容器２内で位置ずれしないように構成されている。より具体的には、仕切部１６（捕獲空間Ｒ１の床面）の後端部と、粘着剤３Ａの後端部とが相対的に移動しないように位置決めされている。従って、捕獲空間Ｒ１内の匍匐害虫が奥（後方）に向けて進んでいき、その羽根または背部が粘着剤３Ａに押し付けられたときに、当該粘着剤３Ａが上に向けて押されて相対的に動いてしまうことが無い。同様に、粘着剤３Ｂの前端部と、底壁部１０（誘引剤配置空間Ｒ２の床面）の前端部とが相対的に移動しないように位置決めされている。従って、誘引剤配置空間Ｒ２内の匍匐害虫が奥（前方）に向けて進んでいき、その羽根または背部が粘着剤３Ｂに押し付けられたときに、当該粘着剤３Ｂが上に向けて押されて相対的に動いてしまうことが無い。これにより、粘着剤３Ａ、３Ｂを、匍匐害虫の羽根または背部に対してよりしっかりと付着させることができる。
【実施例】
【００８３】
図１〜図７に示す形状に類似した匍匐害虫捕獲器１をボール紙で形成し、前側サイド開口部１４ｂ、後側サイド開口部１５ｂ、第１〜第６左側開口部１２ａ、１２ｂ、１２ｃ、１２ｄ、１２ｅ、１２ｆ及び第１〜第６右側開口部１３ａ、１３ｂ、１３ｃ、１３ｄ、１３ｅ、１３ｆを省略し、代わりに、左側壁部１２及び右側壁部１３に、それぞれ、１１ｍｍ×１５ｍｍの矩形の開口部を２つずつ形成し、一方の開口部を捕獲空間Ｒ１に連通する開口部とし、他方の開口部を誘引剤配置空間Ｒ２に連通する開口部とした。
【００８４】
匍匐害虫捕獲器１の左右方向の寸法は１２０ｍｍ、底壁部１０の前後方向の寸法は７０ｍｍ、匍匐害虫捕獲器１の高さは３０ｍｍとした。前側害虫導入口１４ａ及び後側害虫導入口１５ａの左右方向の寸法は９０ｍｍ、前側害虫導入口１４ａ及び後側害虫導入口１５ａの高さは８ｍｍとした。尚、各部の寸法は一例である。
【００８５】
上記した匍匐害虫捕獲器１を４つ用意し、飲食店のゴキブリが出そうな場所に設置して４週間設置状態を維持した。設置から４週間後、匍匐害虫捕獲器１で捕獲されたゴキブリの数を数えた。４つの匍匐害虫捕獲器１の捕獲空間Ｒ１で捕獲されたゴキブリの数を合計すると、８匹であった。つまり、誘引剤４が設置されていない空間であっても、十分な数のゴキブリを捕獲することができた。尚、４つの匍匐害虫捕獲器１の誘引剤配置空間Ｒ２で捕獲されたゴキブリの数を合計すると、１２匹であった。
【００８６】
上述の実施形態はあらゆる点で単なる例示に過ぎず、限定的に解釈してはならない。さらに、特許請求の範囲の均等範囲に属する変形や変更は、全て本発明の範囲内のものである。
【００８７】
例えば、図８に示す実施形態の変形例のように、誘引剤４を容器２の外部に設置してもよい。図８に示す例では、誘引剤４を容器２の上壁部１１の上面に取り付けるようにしているが、これに限らず、容器２の左側壁部１２と、右側壁部１３と、前端壁部１４と、後端壁部１５とのうち、いずれか１つの壁部または複数の壁部に誘引剤４を取り付けてもよい。また、容器２から離した状態で誘引剤４を設置してもよい。この変形例の場合、容器２の内部には１つの空間のみを形成し、その空間を捕獲空間とすることができる。
【００８８】
また、この実施形態では容器２の内部に２つの空間を形成しているが、これに限らず、図示しないが、容器２の内部に３つ以上の空間を形成することができる。また、図示しないが、容器２の内部には、複数の捕獲空間Ｒ１を形成することもできるし、複数の誘引剤配置空間Ｒ２を形成することもできる。
【００８９】
また、匍匐害虫捕獲器１を上下方向に複数連結して使用することや、左右方向に複数連結して使用することもできる。
【産業上の利用可能性】
【００９０】
以上説明したように、本発明に係る匍匐害虫捕獲器は、例えば、ゴキブリ等の匍匐害虫を捕獲する場合に使用することができる。
【符号の説明】
【００９１】
１                匍匐害虫捕獲器
２                容器
４                誘引剤
１０              底壁部
１１              上壁部
１２              左側壁部
１３              右側壁部
１４              前端壁部
１４ａ            前側害虫導入口
１５              後端壁部
１５ａ            後側害虫導入口（開口部）
１６              仕切部
３Ａ、３Ｂ        粘着剤
Ｒ１              捕獲空間
Ｒ２              誘引剤配置空間
【図１】
2020110072.tif 000003
【図２】
2020110072.tif 000004
【図３】
2020110072.tif 000005
【図４】
2020110072.tif 000006
【図５】
2020110072.tif 000007
【図６】
2020110072.tif 000008
【図７】
2020110072.tif 000009
【図８】
2020110072.tif 000010